(57)【特許請求の範囲】
【請求項１】
竿先側の糸と、針側の糸と、の間に配置される釣用おもりであって、
少なくとも前記竿先側となる一端側を開口させた略筒形状のカバー部と、該カバー部内に配置されるおもり本体と、を備えて構成されるとともに、前記カバー部の周壁の両端側に配置される竿側ジョイントと針側ジョイントとを利用して、それぞれ、前記糸に連結される構成とされて、
前記カバー部が、前記開口から内部に流入する水を排出可能な排出孔を、備える構成とされ、
前記おもり本体が、前記カバー部の開口近傍において、前記竿側ジョイント側の領域との間に隙間を設けるようにして、前記竿側ジョイントから離れた側に配置されるとともに、前記カバー部の開口側に、前記開口から内部に流入する水を、前記カバー部における前記竿側ジョイントと前記針側ジョイントとの間の領域に案内する案内面を、配設させる構成とされ、
該案内面が、前記カバー部における前記竿側ジョイント及び前記針側ジョイントを結ぶ直線を通る断面において、前記竿側ジョイント側となる上縁側を、前記針側ジョイント側に位置させるように、前記開口の開口面に対して傾斜して構成され、
前記カバー部が、前記竿側ジョイントと前記針側ジョイントとの間の領域に、前記案内面により案内されつつ前記カバー部内に流入した水流を当てる受圧面を、有し、
前記排出孔が、前記受圧面を周縁に配置させて、開口されていることを特徴とする釣用おもり。
【請求項２】
前記カバー部が、外形形状を、前記針側ジョイントに向かって収束するような略錐体筒形状とされていることを特徴とする請求項１に記載の釣用おもり。
【請求項３】
前記カバー部が、略円錐形状とされていることを特徴とする請求項２に記載の釣用おもり。
【請求項４】
前記案内面が、前記カバー部の軸直交方向の断面において、前記カバー部の外形形状に略沿うように湾曲して、形成されていることを特徴とする請求項３に記載の釣用おもり。
【請求項５】
前記排出孔が、前記カバー部における前記竿側ジョイントと前記針側ジョイントとの間の領域を開口させて形成されていることを特徴とする請求項１乃至４のいずれか１項に記載の釣用おもり。
【請求項６】
前記排出孔が、前記カバー部における頂部近傍に、形成されていることを特徴とする請求項２乃至４のいずれか１項に記載の釣用おもり。
【発明の詳細な説明】
【技術分野】
【０００１】
本発明は、竿先側の糸と、針側の糸と、の間に配置される釣用おもりであって、特に、鮎の友釣りに好適な釣用おもりに関する。
【背景技術】
【０００２】
一般に、鮎の友釣りは、予め捕獲しておいた囮鮎を用い、この囮鮎を、河川における川底付近の野鮎の生息ポイントに誘導して、野鮎に囮鮎を攻撃させることにより、囮鮎から出ているハリスに連結されている掛針を用いて、野鮎を釣り上げる方法である。そして、友釣りでは、囮鮎を、川底付近を泳がせるために、囮鮎を連結させているハリス（針側の糸）と道糸（竿先側の糸）との間に、おもりを、配置させているが、釣用おもりとして、鉛製の球状のものを使用する場合、囮鮎を川底付近に誘導しやすいものの、釣用おもりの動きを制御し難く、また、おもりが沈みやすいことから、囮鮎を連結させたハリスの長さを短くしなければならず、釣用おもりが囮鮎の自由な動きを妨げる場合があり、さらには、釣用おもりが川底の石や藻等に根掛りしてしまう場合もあった。
【０００３】
そのため、従来、鮎の友釣りには、道糸と、囮鮎を連結させたハリスと、の間に配置される釣用おもりとして、内部に中空の密閉空間を形成するとともに、内部に金属製の錘部を配置させた構成のものが使用されていた（例えば、特許文献１及び２参照）。
【０００４】
この釣用おもりでは、内部に形成される密閉空間内の空気が浮きとなることから、金属製の錘部を有していても、釣用おもりが過度に沈み難く、水中で、川底から適度に離れた状態を維持させることができる。
【先行技術文献】
【特許文献】
【０００５】
【特許文献１】特開平７−１９４２８１号公報
【特許文献２】実開平５−８５２６７号公報
【発明の概要】
【発明が解決しようとする課題】
【０００６】
しかし、上記特許文献１及び２のいずれに記載の釣用おもりも、内部に錘部を内蔵させつつ、密閉空間を形成する必要があり、かつ、この密閉空間内に水を侵入させないように高い気密性を保持させるように形成しなくてはならないことから、構成が複雑となっていた。
【０００７】
本発明は、上述の課題を解決するものであり、簡便な構成とすることができて、かつ、使用時の根掛りを確実に防止可能な釣用おもりを提供することを目的とする。
【課題を解決するための手段】
【０００８】
本発明に係る釣用おもりは、竿先側の糸と、針側の糸と、の間に配置される釣用おもりであって、
少なくとも竿先側となる一端側を開口させた略筒形状のカバー部と、カバー部内に配置されるおもり本体と、を備えて構成されるとともに、カバー部の周壁の両端側に配置される竿側ジョイントと針側ジョイントとを利用して、それぞれ、糸に連結される構成とされて、
カバー部が、開口から内部に流入する水を排出可能な排出孔を、備える構成とされ、
おもり本体が、カバー部の開口近傍において、竿側ジョイント側の領域との間に隙間を設けるようにして、竿側ジョイントから離れた側に配置されるとともに、カバー部の開口側に、開口から内部に流入する水を、カバー部における竿側ジョイントと針側ジョイントとの間の領域に案内する案内面を、配設させる構成とされ、
案内面が、カバー部における竿側ジョイント及び針側ジョイントを結ぶ直線を通る断面において、竿側ジョイント側となる上縁側を、針側ジョイント側に位置させるように、開口の開口面に対して傾斜して構成され、
カバー部が、竿側ジョイントと針側ジョイントとの間の領域に、案内面により案内されつつカバー部内に流入した水流を当てる受圧面を、有し、
排出孔が、受圧面を周縁に配置させて、開口されていることを特徴とする。
【０００９】
本発明の釣用おもりでは、おもり本体の外周側を覆っているカバー部が、少なくとも竿先側となる一端側を開口させた略筒形状とされるとともに、カバー部には、開口から内部に流入する水を排出可能な排出孔も形成されていることから、河川での使用時には、釣用おもりは、カバー部の開口を上流側に向けつつ、カバー部の軸方向を水流の流れの方向に略沿わせるようにして、水中に配置されることとなる。また、本発明の釣用おもりでは、カバー部の開口から内部に流入した水は、カバー部内に配置されるおもり本体の開口側において、開口面に対して傾斜して形成される案内面により、カバー部における竿側ジョイントと針側ジョイントとの間の領域に案内されて、カバー部における竿側ジョイントと針側ジョイントとの間の領域に形成される受圧面に当たりつつ、カバー部とおもり本体との間の隙間を経て、排出孔からカバー部の外部へ排出されることとなる。すなわち、本発明の釣用おもりでは、水流が、案内面により向きを変えられつつ、カバー部内に流入して、カバー部における竿側ジョイントと針側ジョイントとの間の領域に形成される受圧面を、内側から押し上げるような態様となる。そのため、本発明の釣用おもりは、使用時に、カバー部の受圧面に作用する水流の押上力により、過度に沈み難く、また、おもり本体を有していることから、川底から離れすぎることも抑制できて、水中で、川底から適度に離れた位置に容易に配置させることができ、川底の石や藻等に根掛りすることも防止できる。そして、本発明の釣用おもりでは、カバー部に作用する水流の押上力を利用して、おもりを浮かせる構成であり、従来のおもりと比較して、浮きの役目を果たす高い気密性を要する密閉空間を形成する必要がないことから、構成を簡便にすることができて、製造工数及びコストの増大を招かない。また、本発明の釣用おもりは、浮きの役目を果たす密閉空間を有していないことから、耐久性も良好である。
【００１０】
また、本発明の釣用おもりでは、カバー部の受圧面に作用する押上力は、水流の速度に比例することから、水流の流速が変化しても、釣用おもりの水中での位置を略一定に維持しやすく、さらに、本発明の釣用おもりは、カバー部の軸方向を水流の流れの方向に略沿わせつつ、カバー部の開口から内部に流入させた水を、排出孔から排出させるようにして、使用されることから、水に対する抵抗を極力小さくすることができて、水流を受けてぶれることを抑制でき、水の流れに沿わせるようにして、水中を容易に移動させることができる。
【００１１】
したがって、本発明の釣用おもりでは、簡便な構成とすることができて、かつ、使用時の根掛りを確実に防止することができる。
【００１２】
また、本発明の釣用おもりにおいて、カバー部の外形形状を、針側ジョイントに向かって収束するような略錐体筒形状とすれば、使用時に、針側ジョイント側の部位の水に対する抵抗を少なくすることができて、針側ジョイント側の部位を沈めやすく、好ましい。
【００１３】
さらに、上記構成の釣用おもりにおいて、カバー部を、略円錐形状とすれば、カバー部を角錐形状とする場合と比較して、軸直交方向側のバランスを良好とすることができ、使用時のぶれ等を一層抑制できることから、水中での動きを一層容易に制御することができて、好ましい。
【００１４】
さらにまた、上記構成の釣用おもりにおいて、案内面を、カバー部の軸直交方向の断面において、カバー部の外形形状に略沿うように湾曲させた構成とすれば、カバー部とおもり本体との間の隙間（カバー部内に流入した水の流れる流路）が、断面略円形となることから、このカバー部とおもり本体との間の隙間（水の流れる流路）の断面積を大きく確保しつつ、おもり本体の質量も確保することが可能となって、好ましい。
【００１５】
本発明の釣用おもりにおいて、排出孔は、カバー部における竿側ジョイントと針側ジョイントとの間の領域を開口させて形成してもよく、さらには、カバー部における頂部近傍に、形成してもよい。
【図面の簡単な説明】
【００１６】
【図１】本発明の一実施形態である釣用おもりの斜視図である。
【図２】図１の釣用おもりの平面図である。
【図３】図１の釣用おもりの側面図である。
【図４】図１の釣用おもりの縦断面であり、図２のIV−IV部位の断面図である。
【図５】図４のＶ−Ｖ部位の断面図である。
【図６】図１の釣用おもりを使用した状態を示す概略図である。
【図７】図１の釣用おもりの使用時の概略縦断面図である。
【図８】図７のVIII−VIII部位の断面図である。
【図９】本発明の他の実施形態である釣用おもりの平面図である。
【図１０】図９の釣用おもりの縦断面であり、図９のＸ−Ｘ部位の断面図である。
【発明を実施するための形態】
【００１７】
以下、本発明の一実施形態を図面に基づいて説明する。なお、実施形態では、鮎の友釣りに用いられる場合の釣用おもり（以下、単に「おもり」と省略する）１を例に採り、説明する。なお、実施形態では、特に断らない限り、おもり１におけるカバー部３の軸方向（中心軸Ｃ）に沿った方向を前後方向として、カバー部３の開口６側を前方側とし、カバー部３における竿側ジョイント１５側を上方側として、説明をする。
【００１８】
実施形態のおもり１は、図６に示すように、図示しない釣竿の竿先から延びる竿先側の糸である道糸Ｔと、針側の糸であるハリスＨと、の間に配置された状態で使用される。ハリスＨには、鼻環（図符号省略）を介して囮鮎Ａが連結されており、また、ハリスＨの先端には、野鮎を釣り上げるための掛針Ｎが、連結されている。
【００１９】
おもり１は、図１〜５に示すように、略筒形状のカバー部３と、カバー部３内に配置されるおもり本体１１と、カバー部３を構成する周壁４の両端側に配置される竿側ジョイント１５及び針側ジョイント１６と、を備えて構成されている。竿側ジョイント１５及び針側ジョイント１６は、それぞれ、カバー部３から離れた先端側に、道糸Ｔ若しくはハリスＨを連結させる連結環１５ａ，１６ａを有して、構成されている（図２，４参照）。
【００２０】
カバー部３は、実施形態の場合、図１に示すように、竿先側（竿側ジョイント１５側）を開口させ、針側ジョイント１６に向かって収束するような略円錐形状とされている。詳細には、カバー部３は、図４に示すように、針側ジョイント１６を配置させる頂部３ａ側を、閉塞させて構成されている。また、カバー部３は、実施形態の場合、合成樹脂製とされて、底部側を開口させた略円錐形状の周壁４を、備える構成とされており、この底部側の開口６を、竿先側に向けるようにして、周壁４の両端側（開口６周縁の上縁側及び頂部３ａ側）に、竿側ジョイント１５と針側ジョイント１６とを配設させている。なお、実施形態の場合、カバー部３を構成する周壁４は、底部側の開口６の開口面６ａを、カバー部３の軸方向（中心軸Ｃ）に対してやや傾斜させるように、構成されている。具体的には、カバー部３の開口６の開口面６ａは、図４に示すように、カバー部３の軸方向（中心軸Ｃ）を水平方向に沿わせるように配置させた状態で、竿側ジョイント１５側となる上縁側を、後方（頂部側）に向けるように、鉛直方向（カバー部３の軸直交方向）に対して、僅かに傾斜して形成されている。そのため、実施形態のおもり１では、開口６の開口面６ａを、カバー部３の軸方向に対して直交させるように配置させる場合と比較して、おもり本体１１の重心の位置を、開口面６ａの近傍に位置させることができて、使用時に、カバー部３の軸方向を、鉛直方向に対して、大きく傾けることができる。すなわち、実施形態のおもり１は、竿側ジョイント１５で保持してぶら下げた際に、針側ジョイント１６を下方に位置させるように、水平方向に対して大きく傾き難く、使用時に、水流に沿いやすい。また、カバー部３（周壁４）は、水流の流速の大きな場所で使用した場合にも、撓んだり、曲ったりし難い材料から形成することが望ましく、カバー部３を形成する材料としては、ポリエチレン、ポリプロピレン、ポリエチレンテレフタレート（ＰＥＴ）等、汎用の樹脂材料を使用することができる。
【００２１】
また、実施形態の場合、カバー部３の周壁４における竿側ジョイント１５と針側ジョイント１６との間の領域であって、おもり本体１１の上方を覆う領域には、開口６から内部に流入する水Ｗを排出可能な排出孔７が、形成されている。実施形態の場合、排出孔７は、図２に示すように、長手方向をカバー部３の軸方向（中心軸Ｃ）に略沿わせた長穴状として、形成されている。詳細に説明すれば、排出孔７は、外形形状を、カバー部３（周壁４）の外形形状に合わせるように、カバー部３の頂部３ａ側にかけて（後方にかけて）、開口幅を狭幅とするようなテーパ状の長穴として、形成されている。さらに詳細には、排出孔７は、上方から見て、おもり本体１１と重なる領域に、形成されている。具体的には、排出孔７は、図２，４に示すように、前縁７ａを、おもり本体１１における後述する案内面１２の上縁１２ａよりやや後方に位置させ、後縁７ｂを、おもり本体１１の後端１１ｂよりやや前方に位置させるように、配置されている。そして、カバー部３を構成する周壁４において、排出孔７の周縁の領域（詳細には、排出孔７の前縁側及び左右両縁側における前側の領域）が、図７，８に示すように、おもり本体１１の案内面１２に案内されつつカバー部３内に流入した水流（水Ｗ）を当てる受圧面８を、構成している。
【００２２】
おもり本体１１は、実施形態の場合、鉛等からなる金属製とされており、カバー部３の開口６近傍において、竿側ジョイント１５側の領域との間に隙間を設けるようにして、竿側ジョイント１５から下方に離れた側となる周壁４の下半分程度の領域に、配置されている。詳細には、おもり本体１１は、カバー部３における周壁４の上側の部位４ａとの間に略一定の隙間Ｄを有するように、図４に示すごとく、前端１１ａ側を開口面６ａと略一致させて開口６から後方（頂部側）に延び、かつ、カバー部３の外形形状に対応して後方にかけて収束するように、構成されている。詳細に説明すれば、おもり本体１１の上面における幅方向（左右方向）の中央は、図４に示すように、後述する案内面１２の上縁１２ａの幅方向の中央付近から後方に延びつつ、カバー部３における周壁４の上端側となる部位と略平行となるように、後下がりに傾斜して、上下方向側の幅寸法を後方にかけて狭められつつ収束している。また、おもり本体１１は、カバー部３の軸直交方向側の断面形状を、図８に示すごとく、下面側を周壁４の内周面に沿わせ、上面側を幅方向の中央を下方に突出させるような略三日月形状とされている。さらに、おもり本体１１は、左右方向側においても、図２に示すように、左右方向側の幅寸法を後方にかけて狭められつつ、中央側に向かって収束している。そして、おもり本体１１は、カバー部３における頂部３ａ近傍の領域には配置されておらず、実施形態の場合、カバー部３において、開口から略２／３程度の領域に、配置されている。そして、実施形態のおもり１では、このおもり本体１１とカバー部３との間の隙間Ｄが、カバー部３内に流入した水Ｗの流れる流路１３を構成することとなる。実施形態の場合、流路１３は、図８に示すように、下方と、左右の側方の下側の領域と、を、おもり本体１１に囲まれるようにして、断面略円形（略ラグビーボール形状）とされることとなる。なお、実施形態の場合、おもり本体１１は、図示しないビスや接着剤等の固着手段により、カバー部３の周壁４の内周面側に固定されている。
【００２３】
おもり本体１１におけるカバー部３の開口６側（前端側）には、カバー部３の開口６から内部に流入する水Ｗを案内する案内面１２が、配置されている。この案内面１２は、開口６から内部に流入する水Ｗを、カバー部３における竿側ジョイント１５と針側ジョイント１６の間の領域であって、排出孔７の周縁に配置される受圧面８に向かって案内可能に、カバー部３の竿側ジョイント１５及び針側ジョイント１６を結ぶ直線（カバー部３の中心軸Ｃと略一致）を通る断面において、竿側ジョイント側となる上縁１２ａ側を、針側ジョイント１６側（後側）に向けるように、開口６の開口面６ａに対して、後上がりで傾斜して構成されている（図４参照）。また、実施形態の場合、この案内面１２は、カバー部３の軸直交方向の断面において、カバー部３の外形形状に略沿うように、略半円弧状に湾曲して、形成されている（図５参照）。すなわち、案内面１２は、図２に示すごとく、上方から見た状態で上縁１２ａが放物線を描くように、左右方向の中央を最も下方に位置させるように、湾曲して形成されている。
【００２４】
そして、実施形態のおもり１では、おもり本体１１の外周側を覆っているカバー部３が、少なくとも竿先側（竿側ジョイント１５側）となる一端側を開口させた略筒形状とされるとともに、カバー部３には、開口６から内部に流入する水Ｗを排出可能な排出孔７も形成されていることから、河川での使用時には、おもり１は、図７に示すように、カバー部３の開口６を上流側に向けつつ、カバー部３の軸方向（中心軸Ｃ）を水流（水Ｗ）の流れの方向に略沿わせるようにして、水中に配置されることとなる。また、実施形態のおもり１では、カバー部３の開口６から内部に流入した水Ｗは、カバー部３内に配置されるおもり本体１１の開口６側において、開口面６ａに対して傾斜して形成される案内面１２により、カバー部３における竿側ジョイント１５と針側ジョイント１６との間の領域に案内されて、カバー部３における竿側ジョイント１５と針側ジョイント１６との間の領域に形成される受圧面８に当たりつつ、カバー部３とおもり本体１１との間の隙間Ｄの流路１３を経て、竿側ジョイント１５と針側ジョイント１６との間の領域に形成される排出孔７から、カバー部３の外部へ排出されることとなる。すなわち、実施形態のおもり１では、水流が、案内面１２により向きを変えられつつ、カバー部３内に流入して、カバー部３における竿側ジョイント１５と針側ジョイント１６との間の領域に形成される受圧面８を、内側から押し上げるような態様となる。
【００２５】
そのため、実施形態のおもり１は、使用時に、カバー部３の受圧面８に作用する水流の押上力Ｆ（図７，８参照）により、過度に沈み難く、また、おもり本体１１を有していることから、川底から離れすぎることも抑制できて、水中で、川底から適度に離れた位置に容易に配置させることができ、川底の石や藻等に根掛りすることも防止できる。そして、実施形態のおもり１では、カバー部３に作用する水流の押上力Ｆを利用して、おもり１を浮かせる構成であり、従来のおもりと比較して、浮きの役目を果たす高い気密性を要する密閉空間を形成する必要がないことから、構成を簡便にすることができて、製造工数及びコストの増大を招かない。また、実施形態のおもり１は、浮きの役目を果たす密閉空間を有していないことから、耐久性も良好である。
【００２６】
また、実施形態のおもり１では、カバー部３の受圧面８に作用する押上力Ｆは、水流の速度に比例することから、水Ｗの流速が変化しても、釣用おもりの水中での位置を略一定に維持しやすく、さらに、実施形態のおもり１は、カバー部３の軸方向（中心軸Ｃ）を水流（水Ｗ）の流れの方向に略沿わせつつ、カバー部３の開口６から内部に流入させた水Ｗを、排出孔７から排出させるようにして、使用されることから、水Ｗに対する抵抗を極力小さくすることができて、水流を受けてぶれることを抑制でき、水Ｗの流れに沿わせるようにして、水中を容易に移動させることができる。
【００２７】
したがって、実施形態のおもり１では、簡便な構成とすることができて、かつ、使用時の根掛りを確実に防止することができる。
【００２８】
また、実施形態のおもり１では、カバー部３の外形形状を、針側ジョイント１６に向かって収束するような略錐体筒形状としていることから、使用時に、針側ジョイント１６側の部位の水に対する抵抗を少なくすることができて、囮鮎Ａを連結させたハリスＨ側となる針側ジョイント１６側の部位を沈めやすい。勿論、このような点を考慮しなければ、おもりとして、カバー部の外形形状を、竿側ジョイントから針側ジョイント側にかけての断面形状を略一定として、針側ジョイント側に向かって収束させない略筒状としたものを、使用してもよい。なお、外形形状を略筒状とする場合、カバー部は、針側ジョイント側に排出孔を配設させるように、針側ジョイント側を開口させてもよく、あるいは、カバー部の周壁に排出孔を設けて針側ジョイント側を閉塞させる構成としてもよい。
【００２９】
さらに、実施形態のおもり１では、カバー部３を、略円錐形状としていることから、カバー部を角錐形状とする場合と比較して、軸直交方向側のバランスを良好とすることができ、使用時のぶれ等を一層抑制可能となって、水中での動きを一層容易に制御することができる。勿論、このような点を考慮しなければ、カバー部を三角錐、四角錐等の角錐形状としてもよい。
【００３０】
さらにまた、実施形態のおもり１では、おもり本体１１の案内面１２を、カバー部３の軸直交方向の断面において、カバー部３の外形形状に略沿うように湾曲させている。そのため、実施形態のおもり１では、カバー部３とおもり本体１１との間の隙間Ｄ（カバー部３内に流入した水Ｗの流れる流路１３）が、断面略円形となることから、このカバー部３とおもり本体１１との間の隙間Ｄ（水の流れる流路１３）の断面積を大きく確保することができる。また、実施形態のおもり１では、おもり本体１１が、この流路１３における上面側を除いた周囲（実施形態の場合、下方と、左右両側における下側の領域と、の三方）を覆うように配置されることとなり、換言すれば、流路１３の左右両側を覆うように上方に延びる部位を有することから、おもり本体１１の質量も確保することができる。すなわち、実施形態のおもり１では、おもり本体１１の質量を維持しつつ、カバー部３内に流入した水Ｗの流れる流路１３の断面積を極力大きく確保することができる。勿論、このような点を考慮しなければ、図３の二点鎖線に示すごとく、おもり本体１１Ａを、案内面１２Ａをカバー部の外形形状に沿わせるように湾曲させず、カバー部３における竿側ジョイント１５から離れた下方側の領域のみに、配設させる構成としてもよい。
【００３１】
なお、実施形態のおもり１では、排出孔７が、カバー部３における竿側ジョイント１５と針側ジョイント１６との間の領域を開口させて形成されているが、排出孔の配置位置は実施形態に限られるものではなく、図９，１０に示すおもり１Ｂのごとく、構成してもよい。
【００３２】
図９，１０に示すおもり１Ｂは、カバー部３Ｂの外形形状を若干異ならせる以外は、上述のおもり１と同様の構成であり、同一の部材には、同一の図符号を付して詳細な説明を省略する。カバー部３Ｂは、竿先側（竿側ジョイント１５側）を開口させ、針側ジョイント１６に向かって収束しつつ、針側ジョイント１６側も開口させた略円錐台形状とされている。すなわち、カバー部３Ｂは、軸方向の両端側を開口させた略円錐台状の周壁４Ｂから構成されるもので、底部側の開口６Ｂより小径の頂部側に配置される開口を、開口６Ｂから内部に流入する水Ｗを排出可能な排出孔７Ｂとしている。そして、このような構成のカバー部３Ｂでは、周壁４Ｂにおいて、排出孔７Ｂの周縁であって、かつ、おもり本体１１の上方を覆っている竿側ジョイント１５と針側ジョイント１６との間の領域が、おもり本体１１の案内面１２に案内されつつカバー部３Ｂ内に流入した水流（水Ｗ）を当てる受圧面８Ｂを、構成することとなる（図１０参照）。
【００３３】
このような構成のカバー部３Ｂを有したおもり１Ｂにおいても、カバー部３Ｂの開口６Ｂから内部に流入した水Ｗは、図１０の二点鎖線に示すように、カバー部３Ｂ内に配置されるおもり本体１１の開口６Ｂ側において、開口面６ａに対して傾斜して形成される案内面１２により、カバー部３Ｂにおける竿側ジョイント１５と針側ジョイント１６との間の領域に案内されて、カバー部３における竿側ジョイント１５と針側ジョイント１６との間の領域に形成される受圧面８Ｂに当たりつつ、カバー部３Ｂとおもり本体１１との間の隙間Ｄの流路１３を経て、カバー部３Ｂの後端側に形成される排出孔７Ｂからカバー部３の外部へ排出されることとなる。すなわち、上記構成のおもり１Ｂにおいても、水流が、案内面１２により向きを変えられつつ、カバー部３Ｂ内に流入して、カバー部３Ｂにおける竿側ジョイント１５と針側ジョイント１６との間の領域に形成される受圧面８Ｂを、内側から押し上げるような態様となる。そのため、おもり１Ｂは、上述のおもり１と同様に、使用時に、カバー部３Ｂの受圧面８Ｂに作用する水流の押上力Ｆ（図１０参照）により、過度に沈み難く、また、おもり本体１１を有していることから、川底から離れすぎることも抑制できて、水中で、川底から適度に離れた位置に容易に配置させることができ、川底の石や藻等に根掛りすることも防止できる。
【００３４】
なお、実施形態のおもり１，１Ｂは、上述したごとく、使用時に、河川の水の流速が異なっていても、水中での略一定の位置を維持しやすいことから、釣をする場所や時期等に応じて、おもりを変更する必要もなく、リーズナブルである。また、実施形態のおもり１，１Ｂは、過度に沈み難く、川底からの適度に離れた位置に配置させることができることから、ハリスの長さを長くすることができて、おもりと囮鮎との距離を長くすることができ、おもりが囮鮎の動きに影響を及ぼすことを極力防止して、囮鮎を自由に泳がせることができる。
【００３５】
なお、実施形態では、おもり本体１１，１１Ａを鉛製、カバー部３，３Ｂを合成樹脂製としているが、おもり本体及びカバー部を形成する形成材料は、これに限られるものではない。例えば、おもり本体は、水より比重の大きな鉛以外の金属や、石、ガラス等により形成してもよく、カバー部は、木材等から形成してもよい。さらには、金属製のおもり本体の外周側を合成樹脂製の被覆層により覆う構成として、おもり本体をインサート成形し、おもり本体の外周側を覆う被覆層とカバー部とを、合成樹脂から一体的に形成してもよい。
【００３６】
また、実施形態では、鮎の友釣りに使う場合を例に採り、説明したが、本発明のおもりの用途は鮎の友釣りに限られるものではなく、海釣り等にも好適に使用することができる。海釣りに使用する場合、おもりを、海底から適度に離れた位置に容易に配置させることができることから、特に潮流の速いところにおいて、ルアー等に内蔵して適用することにより、好適に使用することができる。
【符号の説明】
【００３７】
１，１Ｂ…釣用おもり、
３，３Ｂ…カバー部、
４，４Ｂ…周壁、
６，６Ｂ…開口、
６ａ…開口面、
７，７Ｂ…排出孔、
８，８Ｂ…受圧面、
１１，１１Ａ…おもり本体、
１２，１２Ａ…案内面、
１３…流路、
１５…竿側ジョイント、
１６…針側ジョイント、
Ｈ…ハリス（針側の糸）、
Ｔ…道糸（竿側の糸）。
【図１】
0005238789.tif 000002
【図２】
0005238789.tif 000003
【図３】
0005238789.tif 000004
【図４】
0005238789.tif 000005
【図５】
0005238789.tif 000006
【図６】
0005238789.tif 000007
【図７】
0005238789.tif 000008
【図８】
0005238789.tif 000009
【図９】
0005238789.tif 000010
【図１０】
0005238789.tif 000011